(57)【要約】【課題】エコトープ図の作成を容易に行うための環境類型区分図作成装置、環境類型区分図作成方法並びにそのプログラム及びそのプログラムを記録した記録媒体を提供する。【解決手段】植生単位で分類された領域を有する地図と、地形因子で分類された領域を有する地図とをオーバレイすることで、複数の環境単位の組合せで分類された組合せパッチＣｈｔを有するエコトープ図Ｂを作成する。また、生成された組合せパッチＣｈｔに関し、生態学的にあり得ない環境単位の組合せにより分類されるものと、面積が微細であるがために無意味であるものとを統廃合するためのしきい値を入力させる。更に、入力されたしきい値に基づいた統廃合の結果を、統廃合の実行前にユーザにプレビュさせる。【選択図】　　　　　図２
2004020781.tif 000002
【特許請求の範囲】
【請求項１】
１つ以上の環境単位で分類された領域を有する地図同士をオーバレイすることで、環境単位の組合せで分類された領域を有する環境類型区分図を作成する環境類型区分図作成装置であって、
前記オーバレイにより生成された前記環境単位の組合せで分類された領域を統廃合する際に用いるしきい値を入力させるしきい値入力手段と、
該しきい値入力手段で入力されたしきい値を用いた統廃合の結果をプレビュさせるプレビュ手段と、
を有することを特徴とする環境類型区分図作成装置。
【請求項２】
前記しきい値入力手段は、生態学的にあり得ない環境単位の組合せにより分類される領域を統廃合するためのしきい値、又は、面積が微細である領域を統廃合するためのしきい値を入力させることを特徴とする請求項１記載の環境類型区分図作成装置。
【請求項３】
前記環境単位毎に分類される領域の総面積を算出する単位総面積算出手段と、
前記環境単位の組合せ毎に分類される領域の総面積を算出する組合せ総面積算出手段と、
前記単位総面積算出手段で算出された前記環境単位毎の総面積と、前記組合せ総面積算出手段で算出された前記環境単位の組合せ毎の総面積とに基づいて、前記環境単位の偏在度及び／又は前記環境単位の組合せの偏在度を算出する偏在度算出手段と、を有し、
前記しきい値入力手段は、前記環境単位の組合せの偏在度に対するしきい値を入力させることを特徴とする請求項２記載の環境類型区分図作成装置。
【請求項４】
前記環境単位の組合せで分類される領域の面積の分布を２つに分割した際のクラス間分散の分散比が最大となるしきい値を判別分析しきい値として算出する判別分析しきい値算出手段を有し、
前記プレビュ手段は、前記判別分析しきい値算出手段で算出された前記判別分析しきい値を用いた統廃合の結果をプレビュさせることを特徴とする請求項２記載の環境類型区分図作成装置。
【請求項５】
前記プレビュ手段は、前記しきい値入力手段から入力されたしきい値に基づいて統廃合の対象とした環境単位の組合せ、又は、当該しきい値に基づいて統廃合の対象とした領域が属する環境単位の組合せを、テーブル又はグラフを用いてプレビュさせることを特徴とする請求項１から４の何れか１項に記載の環境類型区分図作成装置。
【請求項６】
前記プレビュ手段は、前記しきい値入力手段から入力されたしきい値に基づいて統廃合の対象とした環境単位の組合せにより分類される領域、又は、当該しきい値に基づいて統廃合の対象とした領域を、地図を用いてプレビュさせることを特徴とする請求項１から４の何れか１項に記載の環境類型区分図作成装置。
【請求項７】
１つ以上の環境単位で分類された領域を有する地図同士をオーバレイすることで、環境単位の組合せで分類された領域を有する環境類型区分図を作成する環境類型区分図作成方法であって、
前記オーバレイにより生成された前記環境単位の組合せで分類された領域を統廃合する際に用いるしきい値を入力させるしきい値入力ステップと、
該しきい値入力ステップで入力されたしきい値を用いた統廃合の結果をプレビュさせるプレビュステップと、
を有することを特徴とする環境類型区分図作成方法。
【請求項８】
前記しきい値入力ステップは、生態学的にあり得ない環境単位の組合せにより分類される領域を統廃合するためのしきい値、又は、面積が微細である領域を統廃合するためのしきい値を入力させることを特徴とする請求項７記載の環境類型区分図作成方法。
【請求項９】
前記環境単位毎に分類される領域の総面積を算出する単位総面積算出ステップと、
前記環境単位の組合せ毎に分類される領域の総面積を算出する組合せ総面積算出ステップと、
前記単位総面積算出ステップで算出された前記環境単位毎の総面積と、前記組合せ総面積算出ステップで算出された前記環境単位の組合せ毎の総面積とに基づいて、前記環境単位の偏在度及び／又は前記環境単位の組合せの偏在度を算出する偏在度算出ステップと、を有し、
前記しきい値入力ステップは、前記環境単位の組合せの偏在度に対するしきい値を入力させることを特徴とする請求項８記載の環境類型区分図作成方法。
【請求項１０】
前記環境単位の組合せで分類される領域の面積の分布を２つに分割した際のクラス間分散の分散比が最大となるしきい値を判別分析しきい値として算出する判別分析しきい値算出ステップを有し、
前記プレビュ手段は、前記判別分析しきい値算出ステップで算出された前記判別分析しきい値を用いた統廃合の結果をプレビュさせることを特徴とする請求項８記載の環境類型区分図作成方法。
【請求項１１】
前記プレビュステップは、前記しきい値入力ステップで入力されたしきい値に基づいて統廃合の対象とした環境単位の組合せ、又は、当該しきい値に基づいて統廃合の対象とした領域が属する環境単位の組合せを、テーブル又はグラフを用いてプレビュさせることを特徴とする請求項７から１０の何れか１項に記載の環境類型区分図作成方法。
【請求項１２】
前記プレビュステップは、前記しきい値入力ステップで入力されたしきい値に基づいて統廃合の対象とした環境単位の組合せにより分類される領域、又は、当該しきい値に基づいて統廃合の対象とした領域を、地図を用いてプレビュさせることを特徴とする請求項７から１０の何れか１項に記載の環境類型区分図作成方法。
【請求項１３】
１つ以上の環境単位で分類された領域を有する地図同士をオーバレイすることで、環境単位の組合せで分類された領域を有する環境類型区分図を作成するコンピュータを機能させるためのプログラムであって、
前記オーバレイにより生成された前記環境単位の組合せで分類された領域を統廃合する際に用いるしきい値を入力させるしきい値入力処理と、
該しきい値入力処理で入力されたしきい値を用いた統廃合の結果をプレビュさせるプレビュ処理と、
を前記コンピュータに実行させるためのプログラム。
【請求項１４】
前記しきい値入力処理は、生態学的にあり得ない環境単位の組合せにより分類される領域を統廃合するためのしきい値、又は、面積が微細である領域を統廃合するためのしきい値を入力させることを特徴とする請求項１３記載のプログラム。
【請求項１５】
前記環境単位毎に分類される領域の総面積を算出する単位総面積算出処理と、
前記環境単位の組合せ毎に分類される領域の総面積を算出する組合せ総面積算出処理と、
前記単位総面積算出手段で算出された前記環境単位毎の総面積と、前記組合せ総面積算出手段で算出された前記環境単位の組合せ毎の総面積とに基づいて、前記環境単位の偏在度及び／又は前記環境単位の組合せの偏在度を算出する偏在度算出処理と、を前記コンピュータに実行させ、
前記しきい値入力処理は、前記環境単位の組合せの偏在度に対するしきい値を入力させることを特徴とする請求項１４記載のプログラム。
【請求項１６】
前記環境単位の組合せで分類される領域の面積の分布を２つに分割した際のクラス間分散の分散比が最大となるしきい値を判別分析しきい値として算出する判別分析しきい値算出処理を前記コンピュータに実行させ、
前記プレビュ処理は、前記判別分析しきい値算出処理で算出された前記判別分析しきい値を用いた統廃合の結果をプレビュさせることを特徴とする請求項１４記載のプログラム。
【請求項１７】
前記プレビュ処理は、前記しきい値入力処理で入力されたしきい値に基づいて統廃合の対象とした環境単位の組合せ、又は、当該しきい値に基づいて統廃合の対象とした領域が属する環境単位の組合せを、テーブル又はグラフを用いてプレビュさせることを特徴とする請求項１３から１６の何れか１項に記載のプログラム。
【請求項１８】
前記プレビュ処理は、前記しきい値入力処理で入力されたしきい値に基づいて統廃合の対象とした環境単位の組合せにより分類される領域、又は、当該しきい値に基づいて統廃合の対象とした領域を、地図をプレビュさせることを特徴とする請求項１３から１６の何れか１項に記載のプログラム。
【請求項１９】
請求項１３から１８の何れか１項に記載の前記プログラムを記録した記録媒体。
【発明の詳細な説明】
【０００１】
【発明の属する技術分野】
本発明は、環境類型区分図作成装置、環境類型区分図作成方法並びにそのプログラム及びそのプログラムを記録した記録媒体に関し、特に環境の類型区分図を作成するのに好適な環境類型区分図作成装置、環境類型区分図作成方法並びにそのプログラム及びそのプログラムを記録した記録媒体に関する。
【０００２】
【従来の技術】
一般的に環境の類型区分図は、環境因子（地形・植生・地質等）の空間的な広がりを表した複数の地図を重ね合わせることで作成される。
【０００３】
従来、環境の類型区分図を作成する方法としては主に２通りが存在した。１つは、環境因子を表現した複数の紙地図を重ね合わせて下方に光源を用意し、その透過光を目視することで、境界線と属性とをトレーシングペーパに書き出す方法である。他の１つは、地理情報システム（以下、ＧＩＳという）のオーバレイ機能を用いて行う方法である。いずれの方法でも、生態学的な観点から見て妥当と判断される複数の環境因子の組み合わせで分類される領域（以下、エコトープという）を環境類型区分（又はエコトープ区分という）とした環境類型区分図（以下、エコトープ図という）が作成される。
【０００４】
しかしながら、例えばＧＩＳのオーバレイ機能を用いた場合、生態学的にあり得ない地形と植生との組み合わせから成るポリゴンや、調査精度・図化精度の観点から面積的に微細なために無意味なポリゴン等が大量に発生してしまうという問題が存在する。
【０００５】
そこで、このようなポリゴンを統廃合する必要がある。従来、この判断は、生態学の知識を持つ専門家が経験則に基づいて行っていた。しかしながら、この経験則に基づいた判断は、科学的な合理的根拠や図化方法が曖昧なため、再現性に乏しいという問題が存在する。
【０００６】
このような問題を解決する従来技術は、松林らによる「大縮尺でのエコトープの抽出・図化に関する事例研究」（国際景観生態学会日本支部会報５（１）：４−９，２０００）において開示されている。
【０００７】
上記の従来技術は、ＧＩＳを用いて複数の環境因子をオーバレイすることにより発生する、生態学的に無意味な多数のポリゴンを、２種類のパラメータに基づいて統廃合するものである。この２種類のパラメータの１つは、地形の持つ植生の立地としての許容性及び植生の地形に対する選択性（以下、これを環境因子の連関性という）であり、他の１つは、各ポリゴンの全体図に対する面積比である。即ち、松林らは、環境因子の連関性が乏しいポリゴンや、全体面積に対して著しく小さなポリゴンを統廃合することで、的確なエコトープ図を作成するようにした。
【０００８】
【発明が解決しようとする課題】
しかしながら、上記のようなパラメータを決定するためには、専門的な算術式や複雑な手順を踏まなければならず、非常に手間がかかるという問題が存在する。従って、従来では効率的にエコトープ図を作成することが困難であった。
【０００９】
そこで本発明は、係る問題に鑑みてなされたものであり、エコトープ図の作成を容易に行うための環境類型区分図作成装置、環境類型区分図作成方法並びにそのプログラム及びそのプログラムを記録した記録媒体を提供することを目的とする。
【００１０】
【課題を解決するための手段】
上記目的を達成するために、本発明は、１つ以上の環境単位で分類された領域を有する地図同士をオーバレイすることで、環境単位の組合せで分類された領域を有する環境類型区分図を作成する環境類型区分図作成装置であって、前記オーバレイにより生成された前記環境単位の組合せで分類された領域を統廃合する際に用いるしきい値を入力させるしきい値入力手段と、該しきい値入力手段で入力されたしきい値を用いた統廃合の結果をプレビュさせるプレビュ手段と、を有することを特徴としている。
これにより、エコトープ図の作成を容易に行うための環境類型区分図作成装置を提供することが達成される。即ち、統廃合のパラメータをしきい値で入力させるため、ユーザは容易にその値を設定することができ、更に、入力したしきい値による統廃合の結果をプレビュすることができるため、ユーザは確認しながらしきい値の値を設定することが可能となる。
【００１１】
上記構成において、例えば、前記しきい値入力手段が、生態学的にあり得ない環境単位の組合せにより分類される領域を統廃合するためのしきい値、又は、面積が微細である領域を統廃合するためのしきい値を入力させる。これにより、生態学的に無意味な環境単位の組み合わせに含まれるパッチを統廃合し、より正確なエコトープ図を作成することが可能となる。または、面積的に無意味なパッチを統廃合し、より明確なエコトープ図を作成することが可能となる。
【００１２】
また、別の例として、前記環境単位毎に分類される領域の総面積を算出する単位総面積算出手段と、前記環境単位の組合せ毎に分類される領域の総面積を算出する組合せ総面積算出手段と、前記単位総面積算出手段で算出された前記環境単位毎の総面積と、前記組合せ総面積算出手段で算出された前記環境単位の組合せ毎の総面積とに基づいて、前記環境単位の偏在度及び／又は前記環境単位の組合せの偏在度を算出する偏在度算出手段と、を有し、前記しきい値入力手段が、前記環境単位の組合せの偏在度に対するしきい値を入力させる。これにより、生態学的に無意味な環境単位の組み合わせに含まれるパッチを統廃合するためのしきい値を偏在度に基づいて設定させることが可能となる。
【００１３】
また、別の例として、前記環境単位の組合せで分類される領域の面積の分布を２つに分割した際のクラス間分散の分散比が最大となるしきい値を判別分析しきい値として算出する判別分析しきい値算出手段を有し、前記プレビュ手段が、前記判別分析しきい値算出手段で算出された前記判別分析しきい値を用いた統廃合の結果をプレビュさせる。これにより、面積が微細なパッチが判別分析により算出されたしきい値に基づいて統廃合された結果をユーザにプレビュさせることが可能となる。
【００１４】
また、別の例として、前記プレビュ手段が、前記しきい値入力手段から入力されたしきい値に基づいて統廃合の対象とした環境単位の組合せ、又は、当該しきい値に基づいて統廃合の対象とした領域が属する環境単位の組合せを、テーブル又はグラフを用いてプレビュさせる。これにより、テーブルやグラフを用いて解り易く統廃合される環境単位の組合せを確認させることが可能となる。
【００１５】
また、別の例として、前記プレビュ手段が、前記しきい値入力手段から入力されたしきい値に基づいて統廃合の対象とした環境単位の組合せにより分類される領域、又は、当該しきい値に基づいて統廃合の対象とした領域を、地図を用いてプレビュさせる。これにより、地図を用いて解り易く統廃合されるパッチを確認させることが可能となる。
【００１６】
また、本発明は、１つ以上の環境単位で分類された領域を有する地図同士をオーバレイすることで、環境単位の組合せで分類された領域を有する環境類型区分図を作成する環境類型区分図作成方法であって、前記オーバレイにより生成された前記環境単位の組合せで分類された領域を統廃合する際に用いるしきい値を入力させるしきい値入力ステップと、該しきい値入力ステップで入力されたしきい値を用いた統廃合の結果をプレビュさせるプレビュステップと、を有することを特徴としている。
これにより、エコトープ図の作成を容易に行うための環境類型区分図作成方法が提供される。即ち、統廃合のパラメータをしきい値で入力させるため、ユーザは容易にその値を設定することができ、更に、入力したしきい値による統廃合の結果をプレビュすることができるため、ユーザは確認しながらしきい値の値を設定することが可能となる。
【００１７】
上記構成において、例えば、前記しきい値入力ステップが、生態学的にあり得ない環境単位の組合せにより分類される領域を統廃合するためのしきい値、又は、面積が微細である領域を統廃合するためのしきい値を入力させる。これにより、生態学的に無意味な環境単位の組み合わせに含まれるパッチを統廃合し、より正確なエコトープ図を作成することが可能となる。または、面積的に無意味なパッチを統廃合し、より明確なエコトープ図を作成することが可能となる。
【００１８】
また、別の例として、前記環境単位毎に分類される領域の総面積を算出する単位総面積算出ステップと、前記環境単位の組合せ毎に分類される領域の総面積を算出する組合せ総面積算出ステップと、前記単位総面積算出ステップで算出された前記環境単位毎の総面積と、前記組合せ総面積算出ステップで算出された前記環境単位の組合せ毎の総面積とに基づいて、前記環境単位の偏在度及び／又は前記環境単位の組合せの偏在度を算出する偏在度算出ステップと、を有し、前記しきい値入力ステップが、前記環境単位の組合せの偏在度に対するしきい値を入力させる。これにより、生態学的に無意味な環境単位の組み合わせに含まれるパッチを統廃合するためのしきい値を偏在度に基づいて設定させることが可能となる。
【００１９】
また、別の例として、前記環境単位の組合せで分類される領域の面積の分布を２つに分割した際のクラス間分散の分散比が最大となるしきい値を判別分析しきい値として算出する判別分析しきい値算出ステップを有し、前記プレビュ手段が、前記判別分析しきい値算出ステップで算出された前記判別分析しきい値を用いた統廃合の結果をプレビュさせる。これにより、面積が微細なパッチが判別分析により算出されたしきい値に基づいて統廃合された結果をユーザにプレビュさせることが可能となる。
【００２０】
また、別の例として、前記プレビュステップが、前記しきい値入力ステップで入力されたしきい値に基づいて統廃合の対象とした環境単位の組合せ、又は、当該しきい値に基づいて統廃合の対象とした領域が属する環境単位の組合せを、テーブル又はグラフを用いてプレビュさせる。これにより、テーブルやグラフを用いて解り易く統廃合される環境単位の組合せを確認させることが可能となる。
【００２１】
また、別の例として、前記プレビュステップが、前記しきい値入力ステップで入力されたしきい値に基づいて統廃合の対象とした環境単位の組合せにより分類される領域、又は、当該しきい値に基づいて統廃合の対象とした領域を、地図を用いてプレビュさせる。これにより、地図を用いて解り易く統廃合されるパッチを確認させることが可能となる。
【００２２】
また、本発明は、１つ以上の環境単位で分類された領域を有する地図同士をオーバレイすることで、環境単位の組合せで分類された領域を有する環境類型区分図を作成するコンピュータを機能させるためのプログラムであって、前記オーバレイにより生成された前記環境単位の組合せで分類された領域を統廃合する際に用いるしきい値を入力させるしきい値入力処理と、該しきい値入力処理で入力されたしきい値を用いた統廃合の結果をプレビュさせるプレビュ処理と、を前記コンピュータに実行させる。
これにより、エコトープ図の作成を容易に行うことをコンピュータを用いて実現するプログラムを提供することが可能となる。即ち、統廃合のパラメータをしきい値で入力させるため、ユーザは容易にその値を設定することができ、更に、入力したしきい値による統廃合の結果をプレビュすることができるため、ユーザは確認しながらしきい値の値を設定することが可能となる。
【００２３】
上記構成において、例えば、前記しきい値入力処理が、生態学的にあり得ない環境単位の組合せにより分類される領域を統廃合するためのしきい値、又は、面積が微細である領域を統廃合するためのしきい値を入力させる。これにより、生態学的に無意味な環境単位の組み合わせに含まれるパッチを統廃合し、より正確なエコトープ図を作成することを可能にするプログラムが提供される。または、面積的に無意味なパッチを統廃合し、より明確なエコトープ図を作成することを可能にするプログラムが提供される。
【００２４】
また、別の例として、前記環境単位毎に分類される領域の総面積を算出する単位総面積算出処理と、前記環境単位の組合せ毎に分類される領域の総面積を算出する組合せ総面積算出処理と、前記単位総面積算出手段で算出された前記環境単位毎の総面積と、前記組合せ総面積算出手段で算出された前記環境単位の組合せ毎の総面積とに基づいて、前記環境単位の偏在度及び／又は前記環境単位の組合せの偏在度を算出する偏在度算出処理と、を前記コンピュータに実行させ、前記しきい値入力処理は、前記環境単位の組合せの偏在度に対するしきい値を入力させる。これにより、生態学的に無意味な環境単位の組み合わせに含まれるパッチを統廃合するためのしきい値を偏在度に基づいて設定させることを可能にするプログラムが提供される。
【００２５】
また、別の例として、前記環境単位の組合せで分類される領域の面積の分布を２つに分割した際のクラス間分散の分散比が最大となるしきい値を判別分析しきい値として算出する判別分析しきい値算出処理を前記コンピュータに実行させ、前記プレビュ処理が、前記判別分析しきい値算出処理で算出された前記判別分析しきい値を用いた統廃合の結果をプレビュさせる。これにより、面積が微細なパッチが判別分析により算出されたしきい値に基づいて統廃合された結果をユーザにプレビュさせることを可能にするプログラムが提供される。
【００２６】
また、別の例として、前記プレビュ処理が、前記しきい値入力処理で入力されたしきい値に基づいて統廃合の対象とした環境単位の組合せ、又は、当該しきい値に基づいて統廃合の対象とした領域が属する環境単位の組合せを、テーブル又はグラフを用いてプレビュさせる。これにより、テーブルやグラフを用いて解り易く統廃合される環境単位の組合せを確認させることを可能にするプログラムが提供される。
【００２７】
また、別の例として、前記プレビュ処理が、前記しきい値入力処理で入力されたしきい値に基づいて統廃合の対象とした環境単位の組合せにより分類される領域、又は、当該しきい値に基づいて統廃合の対象とした領域を、地図を用いてプレビュさせる。これにより、地図を用いて解り易く統廃合されるパッチを確認させることを可能にするプログラムが提供される。
【００２８】
また、本発明は、上記したプログラムを記録した記録媒体である。これにより、上記のような機能を実現するプログラムを記録媒体に記録して提供することが可能となる。
【００２９】
【発明の実施の形態】
以下、本発明の好適な実施形態について図面を用いて詳細に説明する。
〔一実施形態〕
本実施形態によるエコトープ図作成装置１０は、図１に示すように、環境因子毎に用意された地図データ１ａ，１ｂをオーバレイし、これに基づいてエコトープ図Ａを作成する。
【００３０】
これを図２を用いてより詳細に説明する。尚、以下の説明では、環境因子として植生に関するもの（以下、植生因子という）と地形に関するもの（以下、地形因子という）との２つを用いてエコトープ図Ａを作成する場合を例に挙げる。尚、以下の説明では、植生因子に含まれる植生の種類（又は単位ともいう）を植生単位とし、地形因子に含まれる地形の種類（又は単位ともいう）を地形単位とする。また、植生地図と地形地図との重ね合わせにより生成された、複数種類の植生単位と地形単位との組合せを組合せ単位という。さらに、地図上において、植生単位で分割される領域を植生パッチＣｈと呼び、地形単位で分割される領域を地形パッチＣｔと呼び、組合せ単位で分割される領域を組合せパッチＣｈｔと呼ぶ。
【００３１】
エコトープ図作成装置１０は、オーバレイ手段１１と偏在度しきい値設定手段１２と２つのプレビュ手段１３，１５と判別分析しきい値設定手段１４と統廃合手段１６と処理結果保存手段１７とを有して構成される。
【００３２】
この構成において、オーバレイ手段１１は、植生因子に関する地図データ１ａと地形因子に関する地図データ１ｂとをオーバレイし、組合せパッチＣｈｔより成るエコトープ図Ｂを作成する。偏在度しきい値設定手段１２は、オーバレイの結果を用いて、生成された組合せ単位に関する植生単位と地形単位との連関性を求める。これは以下における偏在度として求める。また、偏在度しきい値設定手段１２は、統廃合を行う際のしきい値をこの偏在度の値としてユーザに入力・設定させる。プレビュ手段１３は、偏在度しきい値設定手段１２で設定されたしきい値による統廃合の結果をユーザにプレビュさせる。これは以下の動作の説明で触れるように、テーブルや地図やグラフを用いて行われる。
【００３３】
また、判別分析しきい値設定手段１４は、面積が微細である組合せパッチＣｈｔを統廃合するためのしきい値の基準となるものを、判別分析を行うことで算出する。また、判別分析しきい値設定手段１４は、算出したしきい値をユーザに表示し、更に、この値を変更・設定する機能も提供する。プレビュ手段１５は、判別分析しきい値設定手段１４で設定されたしきい値による統廃合の結果をユーザにプレビュさせる。これも以下の動作の説明で触れるように、テーブルや地図やグラフを用いて行われる。
【００３４】
統廃合手段１６は、上記の各手段で設定されたしきい値に基づいて、オーバレイにより生成されたエコトープ図Ｂにおける組合せパッチＣｈｔの統廃合を行い、エコトープ図Ａを生成する。処理結果保存手段１７は、統廃合手段１６による統廃合の結果を結果ファイル２に保存し、更に、処理結果保存手段１７は、この結果をユーザに表示する。尚、エコトープ図Ａも結果としてユーザに表示する。
【００３５】
尚、このエコトープ図作成装置１０は、例えば図３に示すような構成の情報処理装置（例えばパーソナルコンピュータ等）に、本実施形態による機能を実現させるためのプログラムを組み込むことで実現してもよい。
【００３６】
以上の構成によるエコトープ図作成装置１０のより詳細な動作を以下に図面を用いて説明する。
【００３７】
図４は、本実施形態での処理の流れを示すフローチャートである。本流れにおいて、エコトープ図作成装置１０は、まず、図５に示す初期条件設定画面を用いて、植生因子に関する地図データ１ａが保存された植生ファイルと地形因子に関する地図データ１ｂが保存された地形ファイルとの場所（パス）の指定、処理結果のファイル（結果ファイル２）保存先（パス）の指定、植生因子に関する凡例名や地形因子に関する凡例名が格納されたテーブル（凡例フィールド）の指定等、以降の処理において必要となる初期条件を入力させる（ステップＳ１０１）。
【００３８】
次に、エコトープ図作成装置１０は、指定されたファイルに従って、データ処理対象となる植生因子の地図（以下、これを植生地図という）及び地形因子の地図（以下、これを地形地図という）を図６に示す植生地図表示画面（ａ）及び地形地図表示画面（ｂ）を用いてユーザに表示する（ステップＳ１０２）。
【００３９】
このように初期条件が入力されると、エコトープ図作成装置１０は、オーバレイ手段１１を機能させて、指定された植生地図と地形地図とのオーバレイを実行し（ステップＳ１０３）、これにより生成されたエコトープ図Ｂを図７に示すオーバレイ結果表示画面を用いてユーザへ表示する（ステップＳ１０４）。尚、植生単位は植生地図上のある領域（植生パッチＣｈ）と対応づけられており、また、地形単位は地形地図上のある領域（地形パッチＣｔ）と対応づけられているため、生成された組合せ単位も、オーバレイにより生成された上記地図（これを以下、組み合わせ地図という）上の領域（組合せパッチＣｈｔ）と対応づけられる。即ち、オーバレイで生成された地図は、組合せ単位により複数の領域に分割される。
【００４０】
次に、エコトープ図作成装置１０は、植生単位毎の植生パッチＣｈの総面積と、地形単位毎の地形パッチＣｔの総面積と、組合せ単位毎の組合せパッチｈｔの総面積とを算出し、これに基づいて各単位の偏在度を算出する（ステップＳ１０５）。ここで、偏在度とは、各単位同士や調査域に対する組合せ単位の連関性を示すものである。即ち、偏在度が大きな値となるもの同士ほど相互の連関性は高く、偏在度が小さい値となるもの同士ほど相互の連関性は低くなる。
【００４１】
この偏在度の算出について、より詳細に説明する。ここで、ある植生単位をｉ、地形単位をｊ、ある植生凡例ｉとある地形凡例ｊとによる組合せ単位をｉｊとする。また、調査域における、植生単位ｉの総面積をＢｉ、地形単位ｊの総面積をＣｊ、組合せ単位ｉｊの総面積をＡｉｊとする。
【００４２】
このように定義すると、ステップＳ１０５において、ある植生単位ｉのＢｉに対するＡｉｊの偏在度（以下、ｉ偏在度という）は（Ａｉｊ÷Ｂｉ）で算出される。また、ある地形単位ｊのＣｊに対するＡｉｊの偏在度（以下、ｊ偏在度という）は（Ａｉｊ÷Ｃｊ）で算出される。更に、調査域におけるＡｉｊの偏在度（以下、ｉｊ偏在度という）は（Ａｉｊ÷（Ｂｉ＋Ｃｊ））で算出される。
【００４３】
このように各単位の偏在度を算出すると、エコトープ図作成装置１０は、算出した各総面積（Ｂｉ，Ｃｊ，Ａｉｊ）とｉｊ偏在度とを、図８の面積算出結果画面及び図９の偏在度算出結果画面を用いてユーザへ表示する（ステップＳ１０６）。尚、本実施形態の表示画面において、植生単位又は地形単位の名称は凡例フィールドに基づいてユーザに表示されるが、以下の説明では簡略化のため、これを省略する。但し、図面中、植生単位の名称を植生凡例と表示し、地形単位の名称を地形凡例と表示する。また、組合せ単位の名称（以下、これを組合せ凡例という）は、植生凡例と地形凡例とを結合て生成したものとする。
【００４４】
次に、エコトープ図作成装置１０は、偏在度しきい値設定手段１１を機能させて、ｉｊ偏在度のしきい値（以下、偏在度しきい値という）を入力させる（ステップＳ１０７）。尚、入力された偏在度しきい値は、生態学的にあり得ない地形と植生との組み合わせから成る組合せパッチＣｈｔを削除するために用いるパラメータである。
【００４５】
ステップＳ１０７の手順をより詳細に説明する。図１０は、偏在度しきい値を入力させるための画面である。エコトープ図作成装置１０は、図１０に示す偏在度しきい値入力画面に入力された偏在度しきい値以下又は未満の組合せ因子を消去対象と仮決めする。また、この際、削除対象の組合せ単位（凡例）をプレビュによりユーザが確認でき、かつ、ユーザが適宜に偏在度しきい値を変更できるように構成する。本実施形態では、図１１〜図１３に示す３通りの方法でユーザがプレビュできるように構成した（ステップＳ１０７ａ）。また、プレビュによる確認後、偏在度しきい値を変更でき、更に、変更後の削除対象の組合せ単位（凡例）を再度プレビュにより確認できるように構成した。
【００４６】
図１１は、表１を用いて確認させる際の確認画面（表１）である。この表１は、削除対象及び存続対象の組合せ単位に関し、植生凡例と地形凡例とが対応する欄にそれぞれの組合せ単位の凡例Ｎｏ．とｉｊ偏在度とが表示されたテーブルである。この表１において削除対象の組合せ単位に該当する欄には「×」マークが表示され、存続対象の組合せ単位に該当する欄には「○」マークが表示される。尚、この画面は図１０における『表で確認』ボタンがクリックされた際に表示される。
【００４７】
また、図１２は、地図１を用いて確認させる際の確認画面（地図１）である。この地図１は、削除対象及び存続対象の組合せパッチＣｈｔが表記された地図である。この地図１において削除対象の組合せパッチＣｈｔには「×」マークが付記され、存続対象の組合せパッチＣｈｔには「○」マークが付記される。尚、この画面は図１０における『地図で確認』ボタンがクリックされた際に表示される。
【００４８】
また、図１３は、点グラフを用いて確認させる際の確認画面（点グラフ）である。この点グラフは、横軸がｊ偏在度、縦軸がｉ偏在度で表された２次元グラフであり、削除対象及び存続対象の組合せ単位が、対応するｉ偏在度及びｊ偏在度に従ってそれぞれプロットされている。また、各プロットにおいて「×」で表示されているものは削除対象である組合せ単位を示し、「○」で表示されているものは存続対象である組合せ単位を示す。尚、この画面は図１０における『点グラフで確認』がクリックされた際に表示される。
【００４９】
尚、図１１〜図１３に示す各画面では、同一の組合せ単位に同一の色を用いることで、各組合せ単位（凡例）を区別しやすくするとよい。
【００５０】
ステップＳ１０７において生態学的にあり得ない地形と植生との組み合わせから成る組合せパッチＣｈｔを削除するための偏在度しきい値が設定されると、次にエコトープ図作成装置１０は、ステップＳ１０７で削除対象と仮決めした組合せ単位の中から削除対象外とするものをユーザに指定させる（ステップＳ１０８）。これは、マウス等のグラフィカルユーザインタフェースを用いて行わせるとよい。また、この際の手順には、図１４に示す削除対象チェック画面が用いられる。この画面では、削除対象とした組合せ単位を構成する植生凡例及び地形凡例が表示されている。また、各組合せ単位には、チェック欄が設けられている。このチェック欄にチェックがなされている組合せ単位は削除対象とされているものである。従って、ユーザは、削除対象から除外する場合、このチェック欄のチェックを外す。これに対して、エコトープ図作成装置１０は、チェックが外された組合せ単位を削除対象から除外して以降の処理を実行する。
【００５１】
次に、エコトープ図作成装置１０は、判別分析しきい値設定手段１４を機能させて、調査精度・図化精度の観点から面積的に微細なために無意味である組合せパッチＣｈｔを削除するためのしきい値の例を算出する（ステップＳ１０９）。この算出には、判別分析が適用される。また、以降の説明において、このしきい値を判別分析しきい値ｆ（ｄ）とする。
【００５２】
ステップＳ１０９の処理をより詳細に説明する。図１５は、横軸に組合せパッチＣｈｔの面積ｄ（但し、常用対数表示（ｌｏｇ（ｄ））とする）、縦軸に面積毎の組合せパッチＣｈｔの個数Ｈ（ｆ）を表したヒストグラムである。本実施形態では、図１５に示すように、組合せパッチＣｈｔの集合を２つのクラスに分割するクラス間分散の式Ｒ（ｆ（ｄ））を用い、この式Ｒ（ｆ（ｄ））の値が最大となるような面積ｄを判別分析しきい値ｆ（ｄ）とする。クラス間分散の式Ｒ（ｆ（ｄ））を式（１）に示す。
【００５３】
【数１】
2004020781.tif 000003
【００５４】
尚、上記式（１）において、判別分析しきい値ｆ（ｄ）より低い方のクラスの標本数ｎ１と、判別分析しきい値ｆ（ｄ）より高い方のクラスの標本数ｎ２とは、以下の式（２）で算出される。
【００５５】
【数２】
2004020781.tif 000004
【００５６】
また、上記式（１），（２）において、判別分析しきい値ｆ（ｄ）より低い方のクラスの面積平均値ｍ１と、判別分析しきい値ｆ（ｄ）より高い方のクラスの面積平均値ｍ２とは、以下の式（３）で算出される。
【００５７】
【数３】
2004020781.tif 000005
【００５８】
また、上記式（１），（２），（３）において、判別分析しきい値ｆ（ｄ）より低い方のクラスの面積分散ｖ１と、判別分析しきい値ｆ（ｄ）より高い方のクラスの面積分散ｖ２とは、以下の式（４）で算出される。
【数４】
2004020781.tif 000006
【００５９】
このように判別分析で算出された判別分析しきい値ｆ（ｄ）は、図１６に示す判別分析しきい値設定画面においてユーザへ表示される（ステップＳ１１０）。また、エコトープ図作成装置１０は、算出された判別分析しきい値ｆ（ｄ）以下又は未満の面積を持つ組合せパッチＣｈｔを消去対象と仮決めする。但し、判別分析しきい値ｆ（ｄ）を用いた組合せパッチＣｈｔの統廃合を実行するか否かは、ユーザが適宜に選択できるように構成するとよい。更に、この際、削除対象の組合せパッチＣｈｔをプレビュ手段１５によりユーザがプレビュでき、かつ、ユーザが適宜に判別分析しきい値の値を変更して、しきい値ｆ’（ｄ）を設定できるように構成する。本実施形態では、図１７〜図１９に示す３通りの方法でユーザがプレビュできるように構成した（ステップＳ１１０ａ）。また、プレビュによる確認後、判別分析しきい値を変更でき、更に、変更後の削除対象の組合せパッチＣｈｔを再度プレビュにより確認できるように構成した。尚、これは、判別分析しきい値入力手段１４が判別分析しきい値設定画面を用いて判別分析しきい値をユーザに入力させることで実現される。
【００６０】
図１７は、表２を用いて確認させる際の確認画面（表２）である。この表２は、削除対象の組合せパッチＣｈｔを含む組合せ単位に関し、植生凡例と地形凡例とが対応する欄に、それぞれの組合せ単位の凡例Ｎｏ．と、如何なる条件で削除対象となった組合せパッチＣｈｔが含まれるかと、が表示されたテーブルである。但し、組合せ単位の凡例Ｎｏ．は凡例フィールドに予め格納されている植生単位の凡例Ｎｏ．と地形単位の凡例Ｎｏ．とに基づいて自動的に生成される。また、この表２において、「×」は全てのパッチが判別分析しきい値に基づいて削除対象とされた組合せ単位を示し、「％」は一部の組合せパッチＣｈｔが判別分析しきい値に基づいて削除対象とされた組合せ単位を示す。また、「□」は偏在度しきい値に基づいて削除対象とされた組合せ単位を示し、「△」は偏在度しきい値に基づいて削除対象とされたがユーザにより削除対象外と指定された組合せ単位を示す。尚、この画面は図１６における『表で確認』ボタンがクリックされた際に表示される。
【００６１】
また、図１８は、地図を用いて確認させる際の確認画面（地図２）である。この地図２は、削除対象及び存続対象の組合せパッチＣｈｔが表示された地図である。尚、この地図において、「×」は全てのパッチが判別分析しきい値に基づいて削除対象とされた組合せ単位に含まれる組合せパッチＣｈｔを示し、「％」は一部のパッチが判別分析しきい値に基づいて削除対象とされた組合せ単位に含まれる組合せパッチＣｈｔを示す。また、「□」は偏在度しきい値に基づいて削除対象とされた組合せ単位に含まれる組合せパッチＣｈｔを示し、「△」は偏在度しきい値に基づいて削除対象とされたがユーザにより削除対象外と指定された組合せ単位に含まれる組合せパッチＣｈｔを示す。尚、この画面は図１６における『地図で確認』ボタンがクリックされた際に表示される。
【００６２】
また、図１９は、線グラフを用いて確認させる際の確認画面（線グラフ）である。この線グラフは、横軸に組合せパッチＣｈｔの面積ｄ（但し、常用対数表示（ｌｏｇ（ｄ））とする）、縦軸に面積毎の組合せパッチＣｈｔの個数Ｈ（ｆ）を表した折れ線グラフである。また、この線グラフには、上述の判別分析により算出された判別分析しきい値ｆ（ｄ）が表示されている。即ち、初期の状態では判別分析しきい値ｆ（ｄ）よりも面積ｄの小さい組合せパッチＣｈｔが削除対象であり、判別分析しきい値ｆ（ｄ）よりも面積ｄの大きい組合せパッチＣｈｔが存続対象である。また、図１９には、ユーザにより変更された判別分析しきい値（これをしきい値ｆ’（ｄ）とする）も表示されている。即ち、ユーザにより判別分析しきい値がｆ（ｄ）からｆ’（ｄ）へ変更された場合では、このしきい値ｆ’（ｄ）よりも面積ｄの小さい組合せパッチＣｈｔが削除対象と変更され、しきい値ｆ’（ｄ）よりも面積ｄの大きい組合せパッチＣｈｔが存続対象と変更される。尚、この画面は図１６における『線グラフで確認』がクリックされた際に表示される。
【００６３】
尚、図１７〜図１９に示す各画面では、同一の組合せ単位に同一の色を用いることで、各組合せ因子凡例を区別しやすくするとよい。
【００６４】
以上のように、偏在度しきい値、判別分析しきい値、及び判別分析しきい値の使用の有無が設定されると、次にエコトープ図作成装置１０は、判別分析しきい値を使用するのであれば（ステップＳ１１１の使用）、偏在度しきい値及び判別分析しきい値を用いてパッチの統廃合を行い（ステップＳ１１２）、判別分析しきい値を使用しないのであれば（ステップＳ１１１の不使用）、偏在度しきい値のみを用いてパッチの統廃合を行う（ステップＳ１１３）。尚、この処理は統廃合手段１６において実行される。
【００６５】
その後、エコトープ図作成装置１０は、統廃合した結果をユーザへ画面表示し（ステップＳ１１４）、更に、処理結果保存手段１７を機能させて、結果をステップＳ１０１で指定された結果ファイル２に保存して（ステップＳ１１５）、処理を終了する。尚、ステップＳ１１４では、上記で説明した図１７〜図１９と同様の画面を用いて、統廃合した結果をユーザへ表示する。但し、このステップにおける図１８はエコトープ図Ａを表示する画面に相当する。また、この他に、図２０に示すような内訳表示画面を用いて統廃合の内訳をユーザに表示するよう構成するとよい。
【００６６】
また、以上の流れにおいて、画面中の『キャンセル』がクリックされた際には、エコトープ図作成装置１０はその時点で処理を中断して終了するものとする。
【００６７】
このように、偏在度のしきい値と判別分析により算出された面積のしきい値（又はこれが変更されたしきい値）とに基づいてパッチの統廃合を行うことにより、本実施形態では、生態学的にあり得ない地形と植生との組み合わせから成るパッチや、調査精度・図化精度の観点から面積的に微細なために無意味であるパッチを的確に統廃合し、より正確なエコトープ図を作成することが可能となる。更に、必要に応じて削除対象から除外する機能も提供することで、更に詳細で正確なエコトープ図を作成することが可能となる。
【００６８】
〔他の実施形態〕
以上、説明した実施形態は本発明の好適な一実施形態にすぎず、本発明はその趣旨を逸脱しない限り種々変形して実施可能である。
【００６９】
【発明の効果】
以上説明したように、本発明によれば、エコトープ図の作成を容易に行うことが可能となる。即ち、統廃合のパラメータをしきい値で入力させるため、ユーザは容易にその値を設定することができ、更に、入力したしきい値による統廃合の結果をプレビュすることができるため、ユーザは確認しながらしきい値の値を設定することが可能となる。
【００７０】
また、この他にも、生態学的に無意味な環境単位の組み合わせに含まれるパッチを統廃合し、より正確なエコトープ図を作成することが可能となる。更には、面積的に無意味なパッチを統廃合し、より明確なエコトープ図を作成することが可能となる。
【００７１】
また、この他にも、生態学的に無意味な環境単位の組み合わせに含まれるパッチを統廃合するためのしきい値を偏在度に基づいて設定させることが可能となる。
【００７２】
また、この他にも、面積が微細なパッチが判別分析により算出されたしきい値に基づいて統廃合された結果をユーザにプレビュさせることが可能となる。
【００７３】
また、この他にも、テーブルやグラフを用いて解り易く統廃合される環境単位の組合せを確認させることが可能となる。
【００７４】
また、この他にも、地図を用いて解り易く統廃合されるパッチを確認させることが可能となる。
【図面の簡単な説明】
【図１】本発明の一実施形態によるエコトープ図作成装置１０の概略を説明するための図である。
【図２】エコトープ図作成装置１０の機能構成を示すブロック図である。
【図３】エコトープ図作成装置１０が実現される情報処理装置の構成を示すブロック図である。
【図４】本発明の一実施形態においてエコトープ図２を作成する際の処理を示すフローチャートである。
【図５】図４のステップＳ１０１における初期条件設定画面である。
【図６】図４のステップＳ１０２における植生／地形ファイル表示画面である。
【図７】図４のステップＳ１０４におけるオーバレイ結果表示画面である。
【図８】図４のステップＳ１０６における面積算出結果画面である。
【図９】図４のステップＳ１０６における偏在度算出結果画面である。
【図１０】図４のステップＳ１０７における偏在度しきい値入力画面である。
【図１１】図４のステップＳ１０６ａにおける確認画面（表１）である。
【図１２】図４のステップＳ１０７ａにおける確認画面（地図１）である。
【図１３】図４のステップＳ１０７ａにおける確認画面（点グラフ）である。
【図１４】図４のステップＳ１０８における削除対象チェック画面である。
【図１５】面積毎のパッチの分布を示すヒストグラムである。
【図１６】図４のステップＳ１１０における判別分析しきい値設定画面である。
【図１７】図４のステップＳ１１０ａ及びステップＳ１１４における確認画面（表２）である。
【図１８】図４のステップＳ１１０ａ及びステップＳ１１４における確認画面（地図２）である。
【図１９】図４のステップＳ１１０ａ及びステップＳ１１４における確認画面（線グラフ）である。
【図２０】図４のステップＳ１１４における内訳表示画面である。
【符号の説明】
１ａ，１ｂ，…　環境因子ファイル
２　結果ファイル
４、５　プレビュ画面
６　結果表示画面
１０　エコトープ図作成装置
１１　オーバレイ手段
１２　偏在度しきい値設定手段
１３、１５　プレビュ手段
１４　判別分析しきい値設定手段
１６　統廃合手段
１７　処理結果保存手段
１０１　ＣＰＵ（中央演算処理装置）
１０２　ＲＡＭ
１０３　ＲＯＭ
１０４　表示装置
１０５　記憶装置
１０６　入力装置
１０７　Ｉ／Ｏインタフェース
１０８　バス
Ａ、Ｂ　エコトープ図
Ｃｈ　植生パッチ
Ｃｔ　地形パッチ
Ｃｈｔ　組合せパッチ
【図１】
2004020781.tif 000007
【図２】
2004020781.tif 000008
【図３】
2004020781.tif 000009
【図４】
2004020781.tif 000010
【図５】
2004020781.tif 000011
【図６】
2004020781.tif 000012
【図７】
2004020781.tif 000013
【図８】
2004020781.tif 000014
【図９】
2004020781.tif 000015
【図１０】
2004020781.tif 000016
【図１１】
2004020781.tif 000017
【図１２】
2004020781.tif 000018
【図１３】
2004020781.tif 000019
【図１４】
2004020781.tif 000020
【図１５】
2004020781.tif 000021
【図１６】
2004020781.tif 000022
【図１７】
2004020781.tif 000023
【図１８】
2004020781.tif 000024
【図１９】
2004020781.tif 000025
【図２０】
2004020781.tif 000026